(57)【要約】【課題】  消灯制御時に光源が点灯することを抑制でき、かつ光源に流れる電流に対する電流制御の精度を容易に向上させることができる点灯装置、および照明器具を提供する。【解決手段】  点灯装置１では、切替回路１４が、第１接続点Ｐ１と第２接続点Ｐ２との間を、電気的に導通状態または遮断状態に切り替える。そして、切替回路１４は、指示信号Ｓ１によって光源２の点灯が指示された場合、第１接続点Ｐ１と第２接続点Ｐ２との間を電気的に遮断状態とする。また、切替回路１４は、指示信号Ｓ１によって光源２の消灯が指示された場合、第１接続点Ｐ１と第２接続点Ｐ２との間を電気的に導通状態とする。【選択図】図１
2018142521.tif 000002
【特許請求の範囲】
【請求項１】
１つ以上の固体発光素子を有する光源に直流電力を供給する点灯装置であって、
トランジスタと検出抵抗との直列回路からなる電流調整部、及び前記検出抵抗の両端電圧が基準電圧に一致するように前記トランジスタを制御して前記電流調整部に流れる電流を調節する電流制御部を有して、前記電流調整部が前記光源に電気的に直列接続された定電流回路と、
一対の出力端の間に前記光源と前記電流調整部との直列回路を電気的に接続し、前記一対の出力端から直流電圧を出力する電源回路と、
前記光源の点灯及び消灯を指示する指示信号を入力され、前記指示信号の指示内容に応じて前記基準電圧を調整する基準設定部と、
前記一対の出力端の間に電気的に接続された第１抵抗と第２抵抗との直列回路と、
前記第１抵抗及び前記第２抵抗の相互間の第１接続点と前記光源及び前記電流調整部の相互間の第２接続点との間を、電気的に導通状態または遮断状態に切り替える切替回路とを備え、
前記切替回路は、前記指示信号によって前記光源の点灯が指示された場合、前記第１接続点と前記第２接続点との間を電気的に遮断状態とし、前記指示信号によって前記光源の消灯が指示された場合、前記第１接続点と前記第２接続点との間を電気的に導通状態とする
ことを特徴とする点灯装置。
【請求項２】
前記切替回路は、
前記第１接続点から前記第２接続点に向かって順方向となるように、前記第１接続点と前記第２接続点との間に電気的に接続されたダイオードと、
前記第２抵抗に電気的に並列接続されたスイッチとを有し、
前記スイッチは、前記指示信号によって前記光源の点灯が指示された場合にオンし、前記指示信号によって前記光源の消灯が指示された場合にオフする
ことを特徴とする請求項１記載の点灯装置。
【請求項３】
前記切替回路は、前記第１接続点と前記第２接続点との間に電気的に接続されたスイッチを有し、
前記スイッチは、前記指示信号によって前記光源の点灯が指示された場合にオフし、前記指示信号によって前記光源の消灯が指示された場合にオンする
ことを特徴とする請求項１記載の点灯装置。
【請求項４】
前記切替回路が前記第１接続点と前記第２接続点との間を電気的に導通状態にすると、前記第１抵抗は前記光源に電気的に並列接続し、前記第２抵抗は前記電流調整部に電気的に並列接続しており、
前記第１接続点と前記第２接続点との間が電気的に導通状態である場合、前記直流電圧によって発生する前記第１抵抗の両端電圧は、前記光源の点灯が開始される電圧未満になる
ことを特徴とする請求項１乃至３のいずれか一つに記載の点灯装置。
【請求項５】
前記指示信号は、前記光源の調光レベルを指示し、
前記基準設定部は、前記指示信号によって指示された前記光源の調光レベルに応じて前記基準電圧を調整し、
前記切替回路は、前記調光レベルが前記光源の点灯を指示する場合に、前記第１接続点と前記第２接続点との間を電気的に遮断状態とし、前記調光レベルが前記光源の消灯を指示する場合に、前記第１接続点と前記第２接続点との間を電気的に導通状態とする
ことを特徴とする請求項１乃至４のいずれか一項に記載の点灯装置。
【請求項６】
請求項１乃至５のいずれか一項に記載の点灯装置と、１つ以上の固体発光素子を有して前記点灯装置から直流電力を供給される光源と、前記光源を設ける筐体とを備えることを特徴とする照明器具。
【発明の詳細な説明】
【技術分野】
【０００１】
本発明は、点灯装置、および照明器具に関する。
【背景技術】
【０００２】
従来、交流電源を入力とし、交流電圧を直流電圧に変換する直流電源を備えて、直流電力を光源に供給する点灯装置がある。光源は、ＬＥＤ（Light Emitting Diode）などの複数の固体発光素子の直列回路で構成されている。
【０００３】
たとえば、特許文献１の点灯装置（以降、従来技術と呼ぶ）は、直流電源の出力端間に、光源とＭＯＳＦＥＴ（Metal Oxide Semiconductor Field Effect Transistor：電界効果トランジスタ）と検出抵抗とを直列接続している。この従来技術では、検出抵抗の両端電圧が基準値に一致するようにＭＯＳＦＥＴのゲート電圧を調節して、ＭＯＳＦＥＴのドレイン電流を制御することによって、光源に流れる電流（負荷電流）を制御している。
【０００４】
しかし、光源を消灯させるために交流電源がオフ状態になり、ＭＯＳＦＥＴがオフ状態になった後に、装置内のコンデンサの電荷によって光源の点灯状態が継続することがあった。そこで、従来技術では、光源に分圧抵抗を並列接続し、ＭＯＳＦＥＴと検出抵抗との直列回路に別の分圧抵抗を並列接続し、２つの分圧抵抗のそれぞれの抵抗値を適宜設定することで、光源に印加される電圧を光源の点灯開始電圧未満に制限している。したがって、光源を消灯させるために交流電源がオフ状態になり、ＭＯＳＦＥＴがオフ状態になった後、光源に印加される電圧が光源の点灯開始電圧未満に制限されるので、点灯状態の継続が抑えられる。
【先行技術文献】
【特許文献】
【０００５】
【特許文献１】特開２０１６−１００１６５号公報
【発明の概要】
【発明が解決しようとする課題】
【０００６】
しかしながら、上述の従来技術では、点灯装置が光源を点灯状態に制御しているとき、検出抵抗には、光源を流れる負荷電流だけでなく、光源に並列接続された分圧抵抗からの電流も流れる。
【０００７】
したがって、ＭＯＳＦＥＴ及び検出抵抗に流れる電流（ＭＯＳＦＥＴのドレイン電流）は、分圧抵抗に流れる電流と負荷電流との和になる。すなわち、電流制御の対象となるドレイン電流は、分圧抵抗に流れる電流と負荷電流との和であるので、分圧抵抗に流れる電流が電流制御の誤差になる（実際の負荷電流が、目標電流に比べて、分圧抵抗に流れる電流だけ小さくなる）。特に、負荷電流が低電流（例えば１ｍＡ以下）になるような調光時においては、電流制御の対象となるドレイン電流に対して、分圧抵抗に流れる電流が占める割合が大きくなり、この結果、負荷電流の誤差も大きくなる。
【０００８】
また、分圧抵抗に流れる電流は、光源の両端電圧を分圧抵抗の抵抗値で除した値になる。そして、光源がＬＥＤである場合、負荷電流が変動すると光源の両端電圧も変動する。すなわち、負荷電流が変動すると、分圧抵抗に流れる電流も変動する。この結果、分圧抵抗に流れる電流をドレイン電流から差し引いて制御しようとしても、制御が複雑になる可能性があった。
【０００９】
本発明の目的とするところは、消灯制御時に光源が点灯することを抑制でき、かつ光源に流れる電流に対する電流制御の精度を容易に向上させることができる点灯装置、および照明器具を提供することにある。
【課題を解決するための手段】
【００１０】
本発明の一態様に係る点灯装置は、１つ以上の固体発光素子を有する光源に直流電力を供給する。前記点灯装置は、定電流回路と、電源回路と、基準設定部と、第１抵抗と第２抵抗との直列回路と、切替回路とを備える。前記定電流回路は、トランジスタと検出抵抗との直列回路からなる電流調整部、及び前記検出抵抗の両端電圧が基準電圧に一致するように前記トランジスタを制御して前記電流調整部に流れる電流を調節する電流制御部を有して、前記電流調整部が前記光源に電気的に直列接続されている。前記電源回路は、一対の出力端の間に前記光源と前記電流調整部との直列回路を電気的に接続し、前記一対の出力端から直流電圧を出力する。前記基準設定部は、前記光源の点灯及び消灯を指示する指示信号を入力され、前記指示信号の指示内容に応じて前記基準電圧を調整する。前記第１抵抗と前記第２抵抗との直列回路は、前記一対の出力端の間に電気的に接続される。前記切替回路は、前記第１抵抗及び前記第２抵抗の相互間の第１接続点と前記光源及び前記電流調整部の相互間の第２接続点との間を、電気的に導通状態または遮断状態に切り替える。そして、前記切替回路は、前記指示信号によって前記光源の点灯が指示された場合、前記第１接続点と前記第２接続点との間を電気的に遮断状態とする。また、前記切替回路は、前記指示信号によって前記光源の消灯が指示された場合、前記第１接続点と前記第２接続点との間を電気的に導通状態とする。
【００１１】
本発明の一態様に係る照明器具は、上述の点灯装置と、１つ以上の固体発光素子を有して前記点灯装置から直流電力を供給される光源と、前記光源を設ける筐体とを備えることを特徴とする。
【発明の効果】
【００１２】
以上説明したように、本発明では、消灯制御時に光源が点灯することを抑制でき、かつ光源に流れる電流に対する電流制御の精度を容易に向上させることができるという効果がある。
【図面の簡単な説明】
【００１３】
【図１】図１は、本発明の実施形態に係る点灯装置を示すブロック図である。
【図２】図２Ａは、指示信号Ｓ１とＰＷＭ信号Ｓ２のオンデューティとの関係を示す図である。図２Ｂは、指示信号Ｓ１と基準電圧Ｖｒとの関係を示す図である。図２Ｃは、指示信号Ｓ１と切替信号Ｓ３との関係を示す図である。図２Ｄは、指示信号Ｓ１とダイオード１４１の状態との関係を示す図である。
【図３】図３は、比較例１の構成の一部を示すブロック図である。
【図４】図４は、比較例２の構成の一部を示すブロック図である。
【図５】図５は、本発明の変形例に係る点灯装置を示すブロック図である。
【図６】図６Ａは、本発明の実施形態に係る照明器具を示す断面図である。図６Ｂは、本発明の実施形態に係る別の照明器具を示す断面図である。
【発明を実施するための形態】
【００１４】
以下の実施形態は、一般に、点灯装置、および照明器具に関する。より詳細には、以下の実施形態は、固体発光素子に直流電力を供給する点灯装置、および照明器具に関する。
【００１５】
以下に本発明の実施形態を図面に基づいて説明する。
【００１６】
図１は、本実施形態の点灯装置１の回路構成を示す。
【００１７】
点灯装置１は、電源回路１１と、定電流回路１２と、制限回路１３と、切替回路１４と、制御回路１５とを備える。点灯装置１は、光源２に直流電力を供給する。
【００１８】
電源回路１１は、一対の入力端１１１，１１２に商用電源２００から交流電力を供給され、交流を直流に変換して、一対の出力端１１３，１１４から直流電力を出力する。出力端１１３−１１４間の直流電圧Ｖｏはフィードバック制御されており、電源回路１１は、直流電圧Ｖｏが所望の値（目標値）に一致するように電圧制御を行う。出力端１１３は直流電圧Ｖｏの高電位側となり、出力端１１４は直流電圧Ｖｏの低電位側となる。
【００１９】
電源回路１１は、たとえば、降圧チョッパ回路、昇圧チョッパ回路、昇降圧チョッパ回路、フライバック回路のいずれかで構成される。さらに、電源回路１１が昇降圧チョッパ回路で構成される場合、具体的な回路構成として、ＳＥＰＩＣ回路、ＣＵＫ回路、ＺＥＴＡ回路のいずれかが用いられることが好ましい。なお、降圧チョッパ回路、昇圧チョッパ回路、昇降圧チョッパ回路、ＳＥＰＩＣ回路、ＣＵＫ回路、ＺＥＴＡ回路の各構成および動作は周知であり、詳細な説明は省略する。
【００２０】
電源回路１１の出力端１１３−１１４間には、光源２と定電流回路１２とが直列接続されている。
【００２１】
光源２は、固体発光素子としてＬＥＤ２１を用いており、直列接続された複数のＬＥＤ２１を備える。隣り合う一対のＬＥＤ２１では、一方のＬＥＤ２１のカソードが、他方のＬＥＤ２１のアノードに電気的に接続している。光源２は、高電位側をアノード側とし、低電位側をカソード側とする。この場合、光源２のアノード側は、電源回路１１の出力端１１３に電気的に接続している。光源２のカソード側は、定電流回路１２に電気的に接続している。
【００２２】
定電流回路１２は、電流調整部１２１と、電流制御部１２２とを備える。
【００２３】
電流調整部１２１は、ＦＥＴ１２１ａ（トランジスタ）と、検出抵抗１２１ｂとを備えており、ＦＥＴ１２１ａと検出抵抗１２１ｂとの直列回路で構成されている。ＦＥＴ１２１ａは、Ｎチャネルのエンハンスメント型のＭＯＳＦＥＴであり、ＦＥＴ１２１ａのドレインは、光源２のカソード側に電気的に接続している。ＦＥＴ１２１ａのソースは、検出抵抗１２１ｂの一端に電気的に接続している。検出抵抗１２１ｂの他端は、電源回路１１の出力端１１４に電気的に接続している。すなわち、電源回路１１の出力端１１３−１１４間には、光源２と電流調整部１２１との直列回路が電気的に接続している。言い換えると、電源回路１１の出力端１１３−１１４間には、光源２とＦＥＴ１２１ａと検出抵抗１２１ｂとの直列回路が電気的に接続している。
【００２４】
電流制御部１２２は、オペアンプ１２２ａと、抵抗１２２ｂ，１２２ｃとを備える。抵抗１２２ｂの一端は、ＦＥＴ１２１ａのソースに電気的に接続し、抵抗１２２ｂの他端は、オペアンプ１２２ａの−側入力端子に電気的に接続している。すなわち、ＦＥＴ１２１ａのソースと検出抵抗１２１ｂとの接続点は、抵抗１２２ｂを介してオペアンプ１２２ａの−側入力端子に電気的に接続している。また、オペアンプ１２２ａの＋側入力端子には、制御回路１５から基準電圧Ｖｒが入力される。また、オペアンプ１２２ａの出力端子と−側入力端子との間には、抵抗１２２ｃが電気的に接続されている。さらに、オペアンプ１２２ａの出力端子は、ＦＥＴ１２１ａのゲートに電気的に接続している。そして、電流制御部１２２は、ＦＥＴ１２１ａのゲート電圧を制御することで、ＦＥＴ１２１ａと検出抵抗１２１ｂとの直列回路に流れる電流を調節できる。
【００２５】
制限回路１３は、第１抵抗１３１、第２抵抗１３２を備えており、第１抵抗１３１と第２抵抗１３２との直列回路で構成されている。第１抵抗１３１の一端が、電源回路１１の出力端１１３に電気的に接続し、第１抵抗１３１の他端が、第２抵抗１３２の一端に電気的に接続している。さらに、第２抵抗１３２の他端が、電源回路１１の出力端１１４に電気的に接続している。すなわち、制限回路１３は、電源回路１１の出力端１１３と出力端１１４との間に電気的に接続している。
【００２６】
切替回路１４は、制限回路１３と電流調整部１２１との間の電路を導通状態または遮断状態に切り替える機能を有する。
【００２７】
図１において、第１抵抗１３１と第２抵抗１３２との接続点を第１接続点Ｐ１とし、光源２と電流調整部１２１との接続点を第２接続点Ｐ２とする。すなわち、第１接続点Ｐ１は、第１抵抗１３１及び第２抵抗１３２の相互間の接続点である。また、第２接続点Ｐ２は、光源２及び電流調整部１２１の相互間の接続点である。この場合、切替回路１４は、第１接続点Ｐ１と第２接続点Ｐ２との間の電路を導通状態または遮断状態に切り替える機能を有する。
【００２８】
具体的に、切替回路１４は、ダイオード１４１と、ＦＥＴ１４２（スイッチ）とを備える。ダイオード１４１は、第１接続点Ｐ１と第２接続点Ｐ２との間の電路に設けられている。ダイオード１４１のアノードは、第１接続点Ｐ１に電気的に接続し、ダイオード１４１のカソードは、第２接続点Ｐ２に電気的に接続している。すなわち、ダイオード１４１は、第１接続点Ｐ１から第２接続点Ｐ２に向かって順方向となるように設けられている。そして、ダイオード１４１は、順方向にバイアスされた場合に、第１接続点Ｐ１と第２接続点Ｐ２との間を電気的に導通状態とする。また、ダイオード１４１は、逆方向にバイアスされた場合に、第１接続点Ｐ１と第２接続点Ｐ２との間を電気的に遮断状態とする。
【００２９】
ＦＥＴ１４２は、Ｎチャネルのエンハンスメント型のＭＯＳＦＥＴである。ＦＥＴ１４２は、第２抵抗１３２に並列接続されている。すなわち、ＦＥＴ１４２のドレインは、第１接続点Ｐ１に電気的に接続し、ＦＥＴ１４２のソースは、電源回路１１の出力端１１４に電気的に接続している。そして、ＦＥＴ１４２のゲートは、制御回路１５に電気的に接続している。制御回路１５は、ＦＥＴ１４２のゲート電圧を制御することで、ＦＥＴ１４２をオンオフすることができる。
【００３０】
制御回路１５は、演算部１５１と、平滑回路１５２とを備えている。演算部１５１は、コンピュータを有する。コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイコン（Microcomputer）のいずれであってもよい。記憶用のデバイスには、半導体メモリのようにアクセス時間が短い記憶装置が主に用いられる。
【００３１】
プログラムの提供形態としては、コンピュータに読み取り可能なＲＯＭ（Read Only Memory）、光ディスク等の記録媒体に予め格納されている形態、インターネット等を含む広域通信網を介して記録媒体に供給される形態等がある。
【００３２】
そして、演算部１５１では、コンピュータがプログラムを実行することで、基準設定部１５ａ、切替制御部１５ｂとして機能し、電源回路１１、定電流回路１２、及び切替回路１４の各動作を制御する。なお、演算部１５１は、ディスクリート部品を組み合わせて、基準設定部１５ａ、切替制御部１５ｂを構成してもよい。
【００３３】
演算部１５１は、外部のコントローラから指示信号Ｓ１（調光信号）を入力端子に入力される。指示信号Ｓ１は、光源２の調光レベルを指示する信号である。指示された調光レベルが高いほど、光源２は明るくなる。一方、指示された調光レベルが低いほど、光源２は暗くなる。本実施形態の指示信号Ｓ１は、調光レベルが高いほど電圧値が小さくなり、調光レベルが低いほど電圧値が大きくなる直流の電圧信号である。なお、光源２を流れる電流を負荷電流Ｉ１とした場合、指示信号Ｓ１の電圧値は、調光レベルに対応する負荷電流Ｉ１の大きさに基づいて設定されている。また、指示信号Ｓ１は、調光レベルが高いほど電圧値が大きくなり、調光レベルが低いほど電圧値が小さくなる電圧信号であってもよい。また、指示信号Ｓ１は、たとえばデューティで調光レベルを示すＰＷＭ（Pulse Width Modulation）信号であってもよい。
【００３４】
そして、基準設定部１５ａは、指示信号Ｓ１によって指示される調光レベルに基づいてＰＷＭ信号Ｓ２を生成し、ＰＷＭ信号Ｓ２を出力端子から平滑回路１５２へ出力する。ＰＷＭ信号Ｓ２のオンデューティは、調光レベルが高いほど大きくなり、調光レベルが低いほど小さくなる。
【００３５】
平滑回路１５２は、ＰＷＭ信号Ｓ２を入力される。平滑回路１５２は、例えば平滑用の抵抗及びコンデンサを備えたＲＣ平滑回路である。そして、平滑回路１５２は、ＰＷＭ信号Ｓ２を平滑して基準電圧Ｖｒを生成し、基準電圧Ｖｒを出力する。基準電圧Ｖｒは、オペアンプ１２２ａの＋側入力端子に入力される。基準電圧Ｖｒの値は、調光レベルが高いほど大きくなり、調光レベルが低いほど小さくなる。
【００３６】
本実施形態の指示信号Ｓ１とＰＷＭ信号Ｓ２との関係を、図２Ａに示す。図２Ａは、横軸に指示信号Ｓ１の電圧値を示し、縦軸にＰＷＭ信号Ｓ２のオンデューティを示す。指示信号Ｓ１の電圧値がＶａ１未満である場合、調光レベルは１００（％）［全点灯指示］であり、ＰＷＭ信号Ｓ２のオンデューティは最大デューティＤ１になる。指示信号Ｓ１の電圧値がＶａ２以上である場合、調光レベルは０（％）［消灯指示］であり、ＰＷＭ信号Ｓ２のオンデューティは０になる。指示信号Ｓ１の電圧値がＶａ１以上、Ｖａ２未満である場合、調光レベルは０（％）より高く、かつ１００（％）未満［調光点灯指示］である。指示信号Ｓ１が調光点灯を指示する場合、ＰＷＭ信号Ｓ２のオンデューティは、０−Ｄ１の範囲内において、調光レベルに比例した値に設定される。すなわち、指示信号Ｓ１が調光点灯を指示する場合、ＰＷＭ信号Ｓ２のオンデューティは、調光レベルが高いほど大きくなり、調光レベルが低いほど小さくなる。なお、上述の電圧値Ｖａ１、Ｖａ２の大小関係は、Ｖａ１＜Ｖａ２となる。
【００３７】
次に、本実施形態の指示信号Ｓ１と基準電圧Ｖｒとの関係を、図２Ｂに示す。図２Ｂは、横軸に指示信号Ｓ１の電圧値を示し、縦軸に基準電圧Ｖｒの電圧値を示す。指示信号Ｓ１の電圧値がＶａ１未満である場合［全点灯指示］、基準電圧Ｖｒの電圧値は最大値Ｖｒ１になる。指示信号Ｓ１の電圧値がＶａ２以上である場合［消灯指示］、基準電圧Ｖｒの電圧値は０になる。指示信号Ｓ１の電圧値がＶａ１以上、Ｖａ２未満である場合［調光点灯指示］、基準電圧Ｖｒの電圧値は、０−Ｖｒ１の範囲内で、調光レベルに比例した値に設定される。すなわち、指示信号Ｓ１が調光点灯を指示する場合、基準電圧Ｖｒの電圧値は、調光レベルが高いほど大きくなり、調光レベルが低いほど小さくなる。
【００３８】
次に、定電流回路１２による電流制御について説明する。
【００３９】
オペアンプ１２２ａの＋側入力端子には基準電圧Ｖｒが入力されている。そして、オペアンプ１２２ａは、イマジナリショート（Imaginary Short）の作用によって、オペアンプ１２２ａの−側入力端子の電位も基準電圧Ｖｒに等しくなるように出力電圧を調整する。つまり、ＦＥＴ１２１ａのドレイン電流をＩｄとし、検出抵抗１２１ｂの抵抗値をＲ１２１とすると、Ｖｒ＝Ｉｄ×Ｒ１２１となるように、オペアンプ１２２ａは出力電圧を調整する。なお、ＦＥＴ１２１ａのドレイン電流Ｉｄと検出抵抗１２１ｂの抵抗値Ｒ１２１との積［Ｉｄ×Ｒ１２１］は、検出抵抗１２１ｂの両端電圧であり、以降、検出電圧Ｖｓと呼ぶ（Ｖｓ＝Ｉｄ×Ｒ１２１）。
【００４０】
そして、オペアンプ１２２ａの出力電圧はＦＥＴ１２１ａのゲートに印加されるため、基準電圧ＶｒによってＦＥＴ１２１ａのゲート電圧（ゲート−ソース間電圧）が決まる。ＦＥＴ１２１ａのゲート電圧は、ＦＥＴ１２１ａのゲート−ソース間電圧（Ｖｇｓ）とドレイン電流（Ｉｄ）との対応を示すＶｇｓ−Ｉｄ特性に従って決定される。電流制御部１２２は、ＦＥＴ１２１ａのゲート電圧を調整することで、ＦＥＴ１２１ａのドレイン電流Ｉｄを制御することができる。したがって、制御回路１５が指示信号Ｓ１に応じた基準電圧Ｖｒを設定することで、検出電圧Ｖｓが基準電圧Ｖｒに一致するようにＦＥＴ１２１ａのドレイン電流Ｉｄが制御されて、光源２の調光レベルが制御される。
【００４１】
すなわち、点灯装置１の調光レベルの範囲の仕様を満たすように、基準電圧Ｖｒの調整範囲、および検出抵抗１２１ｂの抵抗値Ｒ１２１が予め決定されている。そして、制御回路１５が、指示信号Ｓ１に基づいて基準電圧Ｖｒを設定することで、定電流回路１２は、ドレイン電流Ｉｄの大きさを所望の範囲内で調節することができる。つまり、定電流回路１２は、指示信号Ｓ１に基づいて生成される基準電圧Ｖｒによって、調光レベルに応じたドレイン電流Ｉｄを流して、光源２を調光することができる。
【００４２】
そして、基準設定部１５ａは、光源２を消灯制御する場合、ＰＷＭ信号Ｓ２のオンデューティを０に設定する。この結果、基準電圧Ｖｒは０（Ｖ）になり、ＦＥＴ１２１ａはオフする。つまり、光源２を消灯させる場合、電源回路１１の動作は継続しており、電源回路１１から直流電圧Ｖｏが出力されている状態で、ＦＥＴ１２１ａがオフ状態になる。電源回路１１から直流電圧Ｖｏが出力されている状態で、ＦＥＴ１２１ａをオフ制御することは、「調光切り」と呼ばれる。
【００４３】
しかし、調光切りには、光源２の点灯状態が継続する可能性があるという問題点があった。この調光切りの問題点について、図３を用いて説明する。図３は、第１比較例である点灯装置１０１の概略構成を示す。点灯装置１０１は、本実施形態の点灯装置１から制限回路１３、切替回路１４を省略している。
【００４４】
点灯装置１０１では、消灯制御が実行された場合、電源回路１１から直流電圧Ｖｏが出力されている状態で、ＦＥＴ１２１ａがオフ状態になる。このとき、ＦＥＴ１２１ａのドレイン‐ソース間には、直流電圧Ｖｏのほぼ全電圧が印加されることになる。この結果、ＦＥＴ１２１ａがオフ状態になっても、ＦＥＴ１２１ａのドレイン‐ソース間にリーク電流が流れる可能性がある。このリーク電流は、ＦＥＴ１２１ａのドレイン電圧Ｖｄ（第２接続点Ｐ２の電圧）が高いほど、大きくなる。すなわち、電源回路１１から直流電圧Ｖｏが出力されている状態で、ＦＥＴ１２１ａがオフ状態になっても、ＦＥＴ１２１ａのリーク電流Ｉ１０１が光源２に流れることがある。すなわち、調光切りによって消灯制御が実行されても、光源２が微発光し、光源２の点灯状態が継続する可能性がある。
【００４５】
そこで、点灯装置１は、制限回路１３を備えることで、消灯制御時に光源２に印加される電圧を光源２の点灯開始電圧未満に制限している。
【００４６】
図４は、第２比較例に用いる点灯装置１０２の概略構成を示す。点灯装置１０２は、本実施形態の点灯装置１から切替回路１４を省略している。すなわち、点灯装置１０２は、第１比較例の点灯装置１０１に制限回路１３を付加している。
【００４７】
制限回路１３は、第１抵抗１３１と第２抵抗１３２との直列回路を備えている。第１抵抗１３１と第２抵抗１３２との直列回路は、電源回路１１の出力端１１３と出力端１１４との間に電気的に接続している。さらに、第１抵抗１３１と第２抵抗１３２との接続点である第１接続点Ｐ１は、光源２と電流調整部１２１との接続点である第２接続点Ｐ２に電気的に接続している。なお、第１抵抗１３１の抵抗値Ｒ１３１、及び第２抵抗１３２の抵抗値Ｒ１３２はそれぞれ、消費電力の観点から数十ｋΩ〜数百ｋΩの範囲内に設定されることが好ましい。
【００４８】
点灯装置１０２では、消灯制御が実行された場合、電源回路１１から直流電圧Ｖｏが出力されている状態で、ＦＥＴ１２１ａがオフ状態になる。そして、第１抵抗１３１の抵抗値をＲ１３１とし、第２抵抗１３２の抵抗値をＲ１３２とすると、ＦＥＴ１２１ａがオフ状態になった場合、ＦＥＴ１２１ａのドレイン電圧Ｖｄは、以下の式（１）で表される。
【００４９】
Ｖｄ＝Ｖｏ・｛Ｒ１３２／（Ｒ１３１＋Ｒ１３２）｝  ………  式（１）
すなわち、図４の構成における消灯制御時のドレイン電圧Ｖｄは、図３の構成における消灯制御時のドレイン電圧Ｖｄより低くなり、ＦＥＴ１２１ａのリーク電流も低減する。
【００５０】
また、消灯制御時において、第１抵抗１３１の両端電圧Ｖｆは、以下の式（２）で表される。
【００５１】
Ｖｆ＝Ｖｏ・｛Ｒ１３１／（Ｒ１３１＋Ｒ１３２）｝  ………  式（２）
そして、消灯制御時において、第１抵抗１３１の両端電圧Ｖｆが、光源２の点灯が開始される点灯開始電圧未満になるように、抵抗値Ｒ１３１，Ｒ１３２、および直流電圧Ｖｏの各値が設定されている。したがって、調光切りによって消灯制御が実行された場合に、光源２に流れる電流が低減する。
【００５２】
この結果、点灯装置１０２は、制限回路１３を備えることで、光源２の微発光を抑制でき、光源２の消灯状態を維持することができる。
【００５３】
図４の構成は、調光切りによって消灯制御が実行された場合のリーク電流の低減、及び微発光の抑制に対しては有効である。しかし、点灯装置１０２が光源２を点灯状態に制御しているとき、検出抵抗１２１ｂには、光源２を流れる負荷電流Ｉ１だけでなく、出力端１１３→第１抵抗１３１→ＦＥＴ１２１ａ→検出抵抗１２１ｂ→出力端１１４の経路を通る誤差電流Ｉ２も流れる。したがって、検出抵抗１２１ｂの両端電圧である検出電圧Ｖｓには、負荷電流Ｉ１による電圧に、誤差電流Ｉ２による電圧が加算されている。すなわち、検出電圧Ｖｓは、実際の負荷電流Ｉ１のみによる電圧より大きくなっており、負荷電流Ｉ１に対する電流制御の精度が悪化する要因になっていた。
【００５４】
具体的に、基準電圧Ｖｒは、調光レベルに対応する負荷電流Ｉ１の値に抵抗値Ｒ１２１を乗じた値に設定される。そして、検出電圧Ｖｓが基準電圧Ｖｒに一致するようにドレイン電流Ｉｄが制御される。しかし、図４の構成では、負荷電流Ｉ１と誤差電流Ｉ２との和がドレイン電流Ｉｄとなる。したがって、検出電圧Ｖｓが基準電圧Ｖｒに一致するようにドレイン電流Ｉｄが制御された場合、実際の負荷電流Ｉ１は、調光レベルに対応する負荷電流Ｉ１の値より、誤差電流Ｉ２だけ小さくなる。このとき、式（３）が成立する。
【００５５】
Ｉ１＋（Ｖｆ／Ｒ１３１）＝Ｖｒ／Ｒ１２１＋（Ｖｏ−Ｖｆ）／Ｒ１３２  …式（３）
そして、式（３）より、負荷電流Ｉ１は式（４）で表される。
【００５６】
Ｉ１＝Ｖｒ／Ｒ１２１−［（Ｖｆ／Ｒ１３１）−｛（Ｖｏ−Ｖｆ）／Ｒ１３２｝］
＝Ｖｒ／Ｒ１２１−Ｉ２  ………  式（４）
ここで、検出電圧Ｖｓが基準電圧Ｖｒに一致するように、定電流回路１２がドレイン電流Ｉｄを制御したとする。この場合、図４の構成では、負荷電流Ｉ１が、調光レベルに対応する電流値（Ｖｒ／Ｒ１２１）よりも、誤差電流Ｉ２［＝（Ｖｆ／Ｒ１３１）−｛（Ｖｏ−Ｖｆ）／Ｒ１３２｝］だけ小さくなる。
【００５７】
また、光源２の制御として、調光レベル０−１００%の範囲内での調光が必要であり、調光下限時のドレイン電流Ｉｄは、例えば１（ｍＡ）以下となる。
【００５８】
一方、調光レベルが低下し、基準電圧Ｖｒが低下するにつれて、定電流回路１２が制御すべきドレイン電流Ｉｄも、例えば数（ｍＡ）、あるいは数百（μＡ）にまで減少する。そして、調光レベルが低下するほど、ドレイン電流Ｉｄに占める誤差電流Ｉ２の割合が大きくなる。
【００５９】
具体的に、Ｖｏ＝１００（Ｖ）、Ｖｒ＝０．０１（Ｖ）、Ｒ１２１＝１０（Ω）、Ｒ１３１＝１００（ｋΩ）、Ｒ１３２＝３００（ｋΩ）、Ｖｆ＝５０（Ｖ）とする。この場合、定電流回路１２が制御するドレイン電流Ｉｄは、Ｉｄ＝Ｖｒ／Ｒ１２１＝１（ｍＡ）となる。また、誤差電流Ｉ２は、Ｉ２＝（Ｖｆ／Ｒ１３１）−｛（Ｖｏ−Ｖｆ）／Ｒ１３２｝＝０．３３（ｍＡ）となる。したがって、負荷電流Ｉ１は、Ｉ１＝１（ｍＡ）−０．３３（ｍＡ）＝０．６７（ｍＡ）となる。つまり、図４の構成では、調光レベルが低い場合、ドレイン電流Ｉｄに占める誤差電流Ｉ２の割合が大きくなり、ドレイン電流Ｉｄに占める負荷電流Ｉ１の割合が小さくなって、電流制御の精度が悪化してしまうという問題点があった。
【００６０】
そこで、図１に示す本実施形態の点灯装置１では、切替回路１４を備えることで、図４の構成による上述の問題点を解決している。
【００６１】
切替回路１４は、第１接続点Ｐ１と第２接続点Ｐ２との間の電路を導通状態または遮断状態に切り替える切替機能を有しており、切替制御部１５ｂによって制御される。切替制御部１５ｂは、切替回路１４へ切替信号Ｓ３を出力する。そして、切替回路１４は、切替信号Ｓ３によって、第１接続点Ｐ１と第２接続点Ｐ２との間の電路を導通状態または遮断状態に切り替える。
【００６２】
具体的に、切替制御部１５ｂは、切替回路１４のＦＥＴ１４２のゲートに切替信号Ｓ３を出力し、ＦＥＴ１４２をオンオフすることで、切替回路１４を制御する。以下、図２Ｃ、図２Ｄを用いて、切替制御部１５ｂによる切替回路１４の動作を説明する。
【００６３】
図２Ｃは、横軸に指示信号Ｓ１の電圧値を示し、縦軸に切替信号Ｓ３のレベルを示す。切替信号Ｓ３は、ＦＥＴ１４２をオンオフ駆動する信号であり、切替信号Ｓ３の電圧は、ＨレベルまたはＬレベルのいずれかに制御される。切替信号Ｓ３がＨレベルであれば、ＦＥＴ１４２はオンする。切替信号Ｓ３がＬレベルであれば、ＦＥＴ１４２はオフする。
【００６４】
図２Ｄは、横軸に指示信号Ｓ１の電圧値を示し、縦軸にダイオード１４１の導通状態を示す。ダイオード１４１は、順方向にバイアスされた場合に、アノード−カソード間が電気的に導通したオン状態になる。また、ダイオード１４１は、逆方向にバイアスされた場合に、アノード−カソード間が電気的に遮断したオフ状態になる
そして、切替制御部１５ｂは、指示信号Ｓ１の電圧値を監視する。切替制御部１５ｂは、指示信号Ｓ１の電圧値に基づいて、指示信号Ｓ１の指示内容が、点灯指示、消灯指示のいずれであるかを判定する。なお、上述の全点灯指示、及び調光点灯指示のそれぞれが、点灯指示に相当する。
【００６５】
切替制御部１５ｂは、指示信号Ｓ１の電圧値がＶａ２未満である場合、指示信号Ｓ１の指示内容は点灯指示であると判定して、Ｈレベルの切替信号Ｓ３を出力する。切替信号Ｓ３がＨレベルになると、ＦＥＴ１４２がオンする。ＦＥＴ１４２がオンすると、ダイオード１４１のアノード（第１接続点Ｐ１）は、電源回路１１の出力端１１４（回路グラウンド）とほぼ同電位になる。ダイオード１４１のカソード（第２接続点Ｐ２）には、ドレイン電流Ｉｄによって生じるＦＥＴ１２１ａのドレインーソース間電圧と検出電圧Ｖｓとの和である電圧が生じており、ダイオード１４１のカソードはアノードより高電位になっている。すなわち、ダイオード１４１は、逆方向にバイアスされてオフ状態になり、第１接続点Ｐ１と第２接続点Ｐ２との間を電気的に遮断している。
【００６６】
この結果、指示信号Ｓ１の指示内容が点灯指示であれば、第１接続点Ｐ１−第２接続点Ｐ２間の電路は遮断され、図４の誤差電流Ｉ２が検出抵抗１２１ｂに流れ込むことはないので、上述の式（４）より、負荷電流Ｉ１＝Ｖｒ／Ｒ１２１−Ｉ２＝Ｖｒ／Ｒ１２１となる。つまり、点灯装置１では、指示信号Ｓ１の指示内容が点灯指示であれば、ドレイン電流Ｉｄ＝負荷電流Ｉ１となる。したがって、検出電圧Ｖｓが基準電圧Ｖｒに一致するように定電流回路１２がドレイン電流Ｉｄを制御することで、定電流回路１２は、負荷電流Ｉ１を調光レベルに対応する電流値に調整することができる。
【００６７】
すなわち、点灯装置１が光源２を点灯状態（全点灯または調光点灯）に制御しているとき、調光レベルの高低に関係なく、負荷電流Ｉ１に対する電流制御の精度を向上させることができる。また、点灯装置１は、図４の構成に切替回路１４を付加することで、定電流回路１２の動作を変更することなく、負荷電流Ｉ１に対する電流制御の精度を容易に向上させることができる。
【００６８】
また、切替制御部１５ｂは、指示信号Ｓ１の電圧値がＶａ２以上である場合、指示信号Ｓ１の指示内容は消灯指示であると判定して、Ｌレベルの切替信号Ｓ３を出力する。切替信号Ｓ３がＬレベルになると、ＦＥＴ１４２がオフする。ＦＥＴ１４２がオフすると、ダイオード１４１のアノード（第１接続点Ｐ１）には、直流電圧Ｖｏを第１抵抗１３１と第２抵抗１３２とで分圧した電圧［Ｖｏ・｛Ｒ１３２／（Ｒ１３１＋Ｒ１３２）｝］が発生する。したがって、消灯制御時において、ダイオード１４１は、順方向にバイアスされてオン状態になり、第１接続点Ｐ１と第２接続点Ｐ２との間を電気的に導通させる。また、消灯制御時において、第１抵抗１３１の両端電圧Ｖｆは、光源２の点灯が開始される点灯開始電圧未満になる。
【００６９】
この結果、点灯装置１は、消灯制御時において、制限回路１３によって光源２の微発光を抑制でき、光源２の消灯状態を維持することができる。
【００７０】
上述のように、点灯装置１は、消灯制御時に光源２が点灯することを抑制でき、かつ負荷電流Ｉ１に対する電流制御の精度を容易に向上させることができる。
【００７１】
なお、ＦＥＴ１４２は、ジャンクショントランジスタ、またはリレーなどの機械スイッチであってもよい。
【００７２】
図５は、変形例である点灯装置１Ａの構成を示す。点灯装置１Ａは、切替回路１４の代わりに切替回路１４Ａを備える。
【００７３】
切替回路１４Ａは、ＦＥＴ１４３を備える。ＦＥＴ１４３は、Ｎチャネルのエンハンスメント型のＭＯＳＦＥＴである。ＦＥＴ１４３のドレインは、第１接続点Ｐ１に電気的に接続している。ＦＥＴ１４３のソースは、第２接続点Ｐ２に電気的に接続している。ＦＥＴ１４３のゲートは、制御回路１５に電気的に接続している。そして、切替制御部１５ｂは、切替回路１４のＦＥＴ１４３のゲートに切替信号Ｓ３１を出力し、ＦＥＴ１４３をオンオフすることで、切替回路１４を制御する。
【００７４】
具体的に、切替制御部１５ｂは、指示信号Ｓ１の電圧値がＶａ２未満である場合、指示信号Ｓ１の指示内容は点灯指示であると判定して、Ｌレベルの切替信号Ｓ３１を出力する。切替信号Ｓ３１がＬレベルになると、ＦＥＴ１４３がオフする。ＦＥＴ１４３がオフすると、第１接続点Ｐ１と第２接続点Ｐ２との間は電気的に遮断される。
【００７５】
この結果、図４の誤差電流Ｉ２が検出抵抗１２１ｂに流れ込むことはない。したがって、点灯装置１Ａでは、指示信号Ｓ１の指示内容が点灯指示であれば、ドレイン電流Ｉｄ＝負荷電流Ｉ１となる。したがって、検出電圧Ｖｓが基準電圧Ｖｒに一致するように定電流回路１２がドレイン電流Ｉｄを制御することで、定電流回路１２は、負荷電流Ｉ１を調光レベルに対応する電流値に調整することができる。
【００７６】
すなわち、点灯装置１Ａが光源２を点灯状態（全点灯または調光点灯）に制御しているとき、調光レベルの高低に関係なく、負荷電流Ｉ１に対する電流制御の精度を向上させることができる。また、点灯装置１Ａは、図４の構成に切替回路１４Ａを付加することで、定電流回路１２の動作を変更することなく、負荷電流Ｉ１に対する電流制御の精度を容易に向上させることができる。
【００７７】
また、切替制御部１５ｂは、指示信号Ｓ１の電圧値がＶａ２以上である場合、指示信号Ｓ１の指示内容は消灯指示であると判定して、Ｈレベルの切替信号Ｓ３１を出力する。切替信号Ｓ３１がＨレベルになると、ＦＥＴ１４３がオンする。ＦＥＴ１４３がオンすると、第１接続点Ｐ１と第２接続点Ｐ２との間が電気的に導通する。また、消灯制御時において、第１抵抗１３１の両端電圧Ｖｆは、光源２の点灯が開始される点灯開始電圧未満になる。
【００７８】
この結果、点灯装置１Ａは、消灯制御時において、制限回路１３によって光源２の微発光を抑制でき、光源２の消灯状態を維持することができる。
【００７９】
上述のように、点灯装置１Ａは、消灯制御時に光源２が点灯することを抑制でき、かつ負荷電流Ｉ１に対する電流制御の精度を容易に向上させることができる。
【００８０】
なお、ＦＥＴ１４３は、ジャンクショントランジスタ、またはリレーなどの機械スイッチであってもよい。
【００８１】
図６Ａは、天井パネル５に埋込配設されるダウンライトである照明器具１０Ａを示す。照明器具１０Ａは、上述の点灯装置１または１Ａと、上述の光源２と、筐体３とを備える。筐体３は、アルミニウムなどの金属によって、上面が閉塞され、下面が開口した有底の円筒形状に形成されている。筐体３の上底面には、光源２が取り付けられている。光源２は、複数のＬＥＤ２１、基板２２を備えており、基板２２上に複数のＬＥＤ２１が実装されている。また、筐体３の下面開口は円板状のカバー４１で閉塞されている。カバー４１は、ガラスまたはポリカーボネートなどの透光性材料で形成されている。点灯装置１または１Ａは、矩形箱状に形成された金属製のケース４２に収納されて、天井パネル５の上面に配置されている。点灯装置１または１Ａは、電気ケーブル４３およびコネクタ４４を介して光源２に電気的に接続されている。
【００８２】
図６Ｂは、天井パネル５に埋込配設される別のダウンライトである照明器具１０Ｂを示す。照明器具１０Ｂは、上述の点灯装置１または１Ａと、上述の光源２と、筐体６とを備える。筐体６は、アルミニウムなどの金属によって、上面が閉塞され、下面が開口した有底の円筒形状に形成されている。筐体６の下面開口は、円板状のカバー７１で閉塞されている。カバー７１は、ガラスまたはポリカーボネートなどの透光性材料で形成されている。筐体６内は、円板状の仕切板７２によって上下に分割されている。仕切板７２の上面側には、点灯装置１または１Ａが配置されている。仕切板７２の下面には、光源２が配置されている。点灯装置１または１Ａは、仕切板７２の通線孔７３を通る電気ケーブル７４によって、光源２と電気的に接続されている。
【００８３】
照明器具１０Ａ，１０Ｂのそれぞれは、上述の点灯装置１または１Ａを備えるので、消灯制御時に光源２が点灯することを抑制でき、かつ負荷電流Ｉ１に対する電流制御の精度を容易に向上させることができる。
【００８４】
なお、光源２は、ＬＥＤ２１に限らず、有機ＥＬ（Organic Electro Luminescence、OEL）、または半導体レーザ（Laser Diode、LD）などの他の固体発光素子を有していてもよい。
【００８５】
以上のように、実施形態に係る第１の態様の点灯装置１（または１Ａ）は、１つ以上のＬＥＤ２１（固体発光素子）を有する光源２に直流電力を供給する。点灯装置１（または１Ａ）は、定電流回路１２と、電源回路１１と、基準設定部１５ａと、第１抵抗１３１と第２抵抗１３２との直列回路と、切替回路１４（または１４Ａ）とを備える。定電流回路１２は、電流調整部１２１、及び電流制御部１２２を有して、電流調整部１２１が光源２に電気的に直列接続されている。電流調整部１２１は、ＦＥＴ１２１ａ（トランジスタ）と検出抵抗１２１ｂとの直列回路からなる。電流制御部１２２は、検出抵抗１２１ｂの両端電圧（検出電圧Ｖｓ）が基準電圧Ｖｒに一致するようにＦＥＴ１２１ａを制御して電流調整部１２１に流れる電流を調節する。電源回路１１は、一対の出力端１１３，１１４の間に光源２と電流調整部１２１との直列回路を電気的に接続し、一対の出力端１１３，１１４から直流電圧Ｖｏを出力する。基準設定部１５ａは、光源２の点灯及び消灯を指示する指示信号Ｓ１を入力され、指示信号Ｓ１の指示内容に応じて基準電圧Ｖｒを調整する。第１抵抗１３１と第２抵抗１３２との直列回路は、一対の出力端１１３，１１４の間に電気的に接続される。切替回路１４（または１４Ａ）は、第１抵抗１３１及び第２抵抗１３２の相互間の第１接続点Ｐ１と光源２及び電流調整部１２１の相互間の第２接続点Ｐ２との間を、電気的に導通状態または遮断状態に切り替える。そして、切替回路１４（または１４Ａ）は、指示信号Ｓ１によって光源２の点灯が指示された場合、第１接続点Ｐ１と第２接続点Ｐ２との間を電気的に遮断状態とする。また、切替回路１４（または１４Ａ）は、指示信号Ｓ１によって光源２の消灯が指示された場合、第１接続点Ｐ１と第２接続点Ｐ２との間を電気的に導通状態とする。
【００８６】
したがって、点灯装置１（または１Ａ）は、光源２を点灯状態（全点灯または調光点灯）に制御しているとき、調光レベルの高低に関係なく、負荷電流Ｉ１に対する電流制御の精度を向上させることができる。また、点灯装置１（または１Ａ）は、切替回路１４（または１４Ａ）を備えることで、負荷電流Ｉ１に対する電流制御の精度を容易に向上させることができる。また、点灯装置１（または１Ａ）は、消灯制御時において、制限回路１３によって光源２の微発光を抑制でき、光源２の消灯状態を維持することができる。
【００８７】
上述のように、点灯装置１（または１Ａ）は、消灯制御時に光源２が点灯することを抑制でき、かつ負荷電流Ｉ１に対する電流制御の精度を容易に向上させることができる。
【００８８】
また、実施形態に係る第２の態様の点灯装置１では、第１の態様において、切替回路１４は、ダイオード１４１と、ＦＥＴ１４２（スイッチ）とを備えることが好ましい。ダイオード１４１は、第１接続点Ｐ１から第２接続点Ｐ２に向かって順方向となるように、第１接続点Ｐ１と第２接続点Ｐ２との間に電気的に接続される。ＦＥＴ１４２は、第２抵抗１３２に電気的に並列接続される。そして、ＦＥＴ１４２は、指示信号Ｓ１によって光源２の点灯が指示された場合にオンし、指示信号Ｓ１によって光源２の消灯が指示された場合にオフする。
【００８９】
したがって、点灯装置１は、消灯制御時に光源２が点灯することを抑制でき、かつ負荷電流Ｉ１に対する電流制御の精度を容易に向上させることができる。さらに、点灯装置１は、ＦＥＴ１４２をローサイド側に設けることができるので、ＦＥＴ１４２の耐圧をより低くすることができる。
【００９０】
また、実施形態に係る第３の態様の点灯装置１Ａでは、第１の態様において、切替回路１４Ａは、第１接続点Ｐ１と第２接続点Ｐ２との間に電気的に接続されたＦＥＴ１４３（スイッチ）を有することが好ましい。ＦＥＴ１４３は、指示信号Ｓ１によって光源２の点灯が指示された場合にオフし、指示信号Ｓ１によって光源２の消灯が指示された場合にオンする。
【００９１】
したがって、点灯装置１Ａは、消灯制御時に光源２が点灯することを抑制でき、かつ負荷電流Ｉ１に対する電流制御の精度を容易に向上させることができる。さらに、点灯装置１Ａは、切替回路１４Ａの構成を簡略化することができる。
【００９２】
また、実施形態に係る第４の態様の点灯装置１（または１Ａ）では、１乃至第３の態様のいずれか一つにおいて、切替回路１４が第１接続点Ｐ１と第２接続点Ｐ２との間を電気的に導通状態にすると、第１抵抗１３１は光源２に電気的に並列接続し、第２抵抗１３２は電流調整部１２１に電気的に並列接続している。そして、第１接続点Ｐ１と第２接続点Ｐ２との間が電気的に導通状態である場合、直流電圧Ｖｏによって発生する第１抵抗１３１の両端電圧Ｖｆは、光源２の点灯が開始される電圧未満になることが好ましい。
【００９３】
したがって、点灯装置１（または１Ａ）は、消灯制御時において、制限回路１３によって光源２の微発光をより抑制でき、光源２の消灯状態を維持することができる。
【００９４】
また、実施形態に係る第５の態様の点灯装置１（または１Ａ）では、第１乃至第４の態様のいずれか一つにおいて、指示信号Ｓ１は、光源２の調光レベルを指示することが好ましい。基準設定部１５ａは、指示信号Ｓ１によって指示された光源の調光レベルに応じて基準電圧Ｖｒを調整する。そして、切替回路１４（または１４Ａ）は、調光レベルが光源２の点灯を指示するレベルである場合に、第１接続点Ｐ１と第２接続点Ｐ２との間を電気的に遮断状態とする。また、切替回路１４（または１４Ａ）は、調光レベルが光源２の消灯を指示するレベルである場合に、第１接続点Ｐ１と第２接続点Ｐ２との間を電気的に導通状態とする。
【００９５】
したがって、点灯装置１（または１Ａ）は、光源２の調光機能を有する場合でも、消灯制御時に光源２が点灯することを抑制でき、かつ負荷電流Ｉ１に対する電流制御の精度を容易に向上させることができる。
【００９６】
上述の実施形態に係る第６の態様の照明器具１０Ａ，１０Ｂは、点灯装置１（または１Ａ）と、１つ以上のＬＥＤ２１（固体発光素子）を有して点灯装置１（または１Ａ）から直流電力を供給される光源２と、光源２を設ける筐体３，６とを備える。
【００９７】
照明器具１０Ａ，１０Ｂのそれぞれは、上述の点灯装置１（または１Ａ）を備えるので、消灯制御時に光源２が点灯することを抑制でき、かつ負荷電流Ｉ１に対する電流制御の精度を向上させることができる。
【００９８】
また、上述の実施形態および変形例は本発明の一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【００９９】
１，１Ａ  点灯装置
２  光源
２１  ＬＥＤ（固体発光素子）
３，６  筐体
１０Ａ，１０Ｂ  照明器具
１１  電源回路
１１３，１１４  出力端
１２  定電流回路
１２１  電流調整部
１２１ａ  ＦＥＴ（トランジスタ）
１２１ｂ  検出抵抗
１２２  電流制御部
１３  制限回路
１３１  第１抵抗
１３２  第２抵抗
１４，１４Ａ  切替回路
１４１  ダイオード
１４２  ＦＥＴ（スイッチ）
１４３  ＦＥＴ（スイッチ）
１５ａ  基準設定部
Ｖｏ  直流電圧
Ｖｓ  検出電圧
Ｖｒ  基準電圧
Ｖｆ  第１抵抗の両端電圧
Ｐ１  第１接続点
Ｐ２  第２接続点
Ｓ１  指示信号
【図１】
2018142521.tif 000003
【図２】
2018142521.tif 000004
【図３】
2018142521.tif 000005
【図４】
2018142521.tif 000006
【図５】
2018142521.tif 000007
【図６】
2018142521.tif 000008